(57)【要約】      （修正有）【課題】滑り落ちにくいペット車載用イスを提供する。【解決手段】床台８にペットベット７を載せ、両側の側板板に凹所を設ける。凹所にシートベルトを引っかけて固定する。【選択図】図３
0003174959.tif 000002
【実用新案登録請求の範囲】
【請求項１】
自動車のイスに簡単に装着できることを特徴とするペット車載用イス。
【請求項２】
ペットが家庭で使用しているペットベッドをそのままペット車載用イスに装着することにより、ペットがあばれず、安心して車に乗ることができることを特徴とするペット車載用イス。
【請求項３】
ペットがペット車載用イスに乗ることにより、目線が高くなり、視界が良くなり、落ち着くようになることを特徴とするペット車載用イス。
【考案の詳細な説明】
【技術分野】
【０００１】  本考案はイヌ・ネコなどの車載用イスに関する。
【背景技術】
【０００２】  従来の車載用イスは子供用などのもので、シートベルトを色々なものと合わせ固定するものであった。
【先行技術文献】
【特許文献】
【０００３】
【特許文献１】  特開２００３−３１２４３８号公報
【特許文献２】  特開２０００−３０２００５号公報
【非特許文献】
【０００４】
【非特許文献１】
【非特許文献２】
【考案の概要】
【考案が解決しようとする課題】
【０００５】  従来の特許文献１，２は人間用の車載用イスであり、本考案はペットの車載用イス。【０００６】  本考案は、ホームセンターやペットショップなどで売っているペットベッド（スポンジでできていて布で覆われているもの）を固定するものである。【０００７】  ペットベッドを車の座席に乗せて走っているときに、急ブレーキ・急発進をするとペットベッドが座席から落ちることがあった。【０００８】  本考案は、このように座席からずれたり落ちたりすることを解決しようとするものであり、また、座席に固定して快適なドライブをしてもらうことを目的とするものである。
【課題を解決するための手段】
【０００９】  そして本考案は上記目的を達成するために車のシートベルトを用いて固定するものである。【００１０】  また、ペットベッドが前に滑り落ちないようにガードを設置する構成としたものである。【００１１】  上記の課題解決手段による作用は次の通りである。すなわち本考案とペットベッドが同寸のものを使用した場合、四方で固められ、ペットベッドが滑り落ちなくなる。
【考案の効果】
【００１２】上述したように、本考案はペットベッドを固定することにより、ペットとの快適なドライブを提供することができる。【００１３】  家でペットがいつも使っているペットベッドを使用することで、あばれず、落ち着いたまま車に移動でき、装着できる。【００１４】  また、車載用イスにペットを載せることにより、ペットの目線が高くなり、外の景色も以前より見えやすくなるという効果を発揮するものである。
【図面の簡単な説明】
【００１５】
【図１】本考案の実施形態を示す外観図である。
【図２】本考案の展開図である。
【図３】本考案にペットベッドを装着した図である。
【考案を実施するための形態】
【００１６】本考案を実施するにあたり、ペット車載用イス▲１▼を車のイスに置き、図２の側面▲２▼▲３▼のえぐれた▲４▼▲５▼にシートベルト▲６▼を装着しペットベッド▲７▼をペット車載用イス▲１▼の置く床面▲８▼に嵌める。
【符号の説明】
【００１７】▲１▼ペット車載用イス
▲２▼▲３▼側面
▲４▼▲５▼シートベルトの固定場所
▲６▼シートベルト
▲７▼ペットベッド
▲８▼ペットベッドを置く床面
▲９▼補強版
▲１０▼ガード
▲１１▼車のイス
【図１】
0003174959.tif 000003
【図２】
0003174959.tif 000004
【図３】
0003174959.tif 000005
【手続補正書】
【提出日】平成24年1月10日(2012.1.10)
【手続補正１】
【補正対象書類名】実用新案登録請求の範囲
【補正対象項目名】全文
【補正方法】変更
【補正の内容】
【実用新案登録請求の範囲】
【請求項１】
・自動車のイスに載せるペット車載用イスで、床台にペットベッドを載せ、両側の側面板の凹所にシートベルトを引っかけ自動車のイスに固定する事を特徴とするペット車載用イス。
【手続補正２】
【補正対象書類名】明細書
【補正対象項目名】全文
【補正方法】変更
【補正の内容】
【考案の詳細な説明】
【技術分野】
【０００１】  本考案はイヌ・ネコなどの車載用イスに関する。
【背景技術】
【０００２】  従来の車載用イスは子供用などのもので、シートベルトを色々なものと合わせ固定するものであった。
【先行技術文献】
【特許文献】
【０００３】
【特許文献１】  特開２００３−３１２４３８号公報
【特許文献２】  特開２０００−３０２００５号公報
【考案の概要】
【考案が解決しようとする課題】
【０００４】  従来の特許文献１，は人間用の車載用イスであり、本考案はペットの車載用イス。【０００５】  本考案は、ホームセンターやペットショップなどで売っているペットベッド（スポンジでできていて布で覆われているもの）を固定するものである。【０００６】  ペットベッドを車の座席に乗せて走っているときに、急ブレーキ・急発進をするとペットベッドが座席から落ちることがあった。【０００７】  本考案は、このように座席からずれたり落ちたりすることを解決しようとするものであり、自動車のイスに簡単に装着でき、ペットが家庭で使用しているペットベッドをそのままペット車載用イスに装着でき、ペットが暴れず安心して車に乗ることができる。また、ペットの目線が高くなるので視界が良くなり、落ち着くようになる。また、座席に固定して快適なドライブをしてもらうことを目的とするものである。
【課題を解決するための手段】
【０００８】  そして本考案は上記目的を達成するために車のシートベルトを用いて固定するものである。【０００９】  また、ペットベッドが前に滑り落ちないようにガードを設置する構成としたものである。【００１０】  上記の課題解決手段による作用は次の通りである。すなわち本考案とペットベッドが同寸のものを使用した場合、四方で固められ、ペットベッドが滑り落ちなくなる。
【考案の効果】
【００１１】上述したように、本考案はペットベッドを固定することにより、ペットとの快適なドライブを提供することができる。【００１２】  家でペットがいつも使っているペットベッドを使用することで、あばれず、落ち着いたまま車に移動でき、装着できる。【００１３】  また、車載用イスにペットを載せることにより、ペットの目線が高くなり、外の景色も以前より見えやすくなるという効果を発揮するものである。
【図面の簡単な説明】
【００１４】
【図１】本考案の実施形態を示す外観図である。
【図２】本考案の展開図である。
【図３】本考案にペットベッドを装着した図である。
【考案を実施するための形態】
【００１５】本考案を実施するにあたり、ペット車載用イス▲１▼を車のイスに置き、図２の側面▲２▼▲３▼のえぐれた固定凹所▲４▼▲５▼にシートベルト▲６▼を装着しペットベッド▲７▼をペット車載用イス▲１▼の置く床台▲８▼に嵌める。なお、▲８▼はペット車載用イス床台、▲２▼▲３▼は▲８▼のペット車載用イス側面板、▲４▼▲５▼はシートベルト固定凹所、▲９▼はペット車載用イスの構造を強くする補強板、▲１０▼はペットベッドが滑り落ちないようにするガード。
【符号の説明】
【００１６】▲１▼ペット車載用イス
▲２▼▲３▼側面板
▲４▼▲５▼シートベルトの固定凹所
▲６▼シートベルト
▲７▼ペットベッド
▲８▼ペットベッドを置く床台
▲９▼補強版
▲１０▼ガード
▲１１▼車のイス
【手続補正４】
【補正対象書類名】図面
【補正対象項目名】全図
【補正方法】変更
【補正の内容】
【図１】
0003174959.tif 000006
【図２】
0003174959.tif 000007
【図３】
0003174959.tif 000008